(57)【特許請求の範囲】
【請求項１】
透光性を有する暗色の意匠パネルと、
前記意匠パネルの裏面側に配置されて同裏面に対向する面に模様を表示する表示部と、
前記意匠パネルと前記表示部との間に配置されて前記表示部に向けて光を出射する灯光部と、を備え、
前記模様は前記灯光部から出射される光を反射する色の塗料によって形成されており、
前記灯光部は前記表示部に向けて出射される光の色を変更可能なものであり、
前記表示部は互いに異なる色の塗料によってそれぞれ形成された複数の模様を表示するものであり、
前記塗料の各々は前記灯光部から出射される光のうち対応する色の光を反射するものであり、
前記灯光部は、互いに対向して配置されるとともに互いに異なる色の光を出射可能な一対の点光源と、前記一対の点光源の間に配置される導光体と、前記点光源の各々からの光の出射態様を変更することにより、前記導光体において一方の色の光が出射される部分と他方の色の光が出射される部分との割合を変更する制御部と、を備え、
前記制御部が前記一対の点光源の一方からの光の発光量を増加させるとともに前記一対の点光源の他方からの光の発光量を減少させることにより、前記表示部では、前記点光源の一方から出射される光の色を反射する塗料によって形成された模様の割合が増加し、前記点光源の他方から出射される光の色を反射する塗料によって形成された模様の割合が減少する、
内装部品。
【請求項２】
前記模様の背景領域はブラック色を呈する、
請求項１に記載の内装部品。
【請求項３】
前記表示部はカラープリントされたシートである、
請求項１又は請求項２に記載の内装部品。
【請求項４】
前記意匠パネルは意匠面側に向けて突出するように湾曲している、
請求項１〜請求項３のいずれか一項に記載の内装部品。
【発明の詳細な説明】
【技術分野】
【０００１】
本発明は、例えば車両のインストルメントパネルやドアトリムなどに適用される内装部品に関する。
【背景技術】
【０００２】
特許文献１には、車両のドアトリムが開示されている（例えば特許文献１参照）。
特許文献１に記載の車両のドアトリムは、透光性を有する基材と、基材の表面に貼付された表皮材とを有するトリム本体と、トリム本体と車体パネルとの間に配置され、トリム本体の裏側から光を照射する照光ユニットとを備えている。この表皮材は、異なる柄模様をもつ複数の層から構成されている。
【０００３】
こうしたドアトリムでは、照光ユニットの消灯時には、表皮材の表面側の柄模様のみがトリム表面に現出し、照光ユニットの点灯時には、上記柄模様に加えて表皮材の裏面側の柄模様がトリム表面に現出することで表面側の柄模様と裏面側の柄模様とが融合した模様が現出するとされている。
【先行技術文献】
【特許文献】
【０００４】
【特許文献１】特開２００９−１０１８４０号公報
【発明の概要】
【発明が解決しようとする課題】
【０００５】
ところで、特許文献１に記載の技術の場合、照光ユニットの点灯及び消灯を切り換えることにより、トリム表面に現出される柄模様を変更することができるとされている。しかし、この技術は表皮材の柄模様がトリム表面に現出されるものであり、奥行き感がほとんどないものとなっている。
【０００６】
本発明の目的は、簡易な構成によって奥行き感のある模様を意匠パネルに現出させることができる内装部品を提供することにある。
【課題を解決するための手段】
【０００７】
上記目的を達成するための内装部品は、透光性を有する暗色の意匠パネルと、前記意匠パネルの裏面側に配置されて同裏面に対向する面に模様を表示する表示部と、前記意匠パネルと前記表示部との間に配置されて前記表示部に向けて光を出射する灯光部と、を備え、前記模様は前記灯光部から出射される光を反射する色の塗料によって形成されており、前記灯光部は前記表示部に向けて出射される光の色を変更可能なものであり、前記表示部は互いに異なる色の塗料によってそれぞれ形成された複数の模様を表示するものであり、前記塗料の各々は前記灯光部から出射される光のうち対応する色の光を反射するものであり、前記灯光部は、互いに対向して配置されるとともに互いに異なる色の光を出射可能な一対の点光源と、前記一対の点光源の間に配置される導光体と、前記点光源の各々からの光の出射態様を変更することにより、前記導光体において一方の色の光が出射される部分と他方の色の光が出射される部分との割合を変更する制御部と、を備え、前記制御部が前記一対の点光源の一方からの光の発光量を増加させるとともに前記一対の点光源の他方からの光の発光量を減少させることにより、前記表示部では、前記点光源の一方から出射される光の色を反射する塗料によって形成された模様の割合が増加し、前記点光源の他方から出射される光の色を反射する塗料によって形成された模様の割合が減少する。
【０００８】
同構成によれば、灯光部から出射される光が表示部の模様の部分において反射されて意匠パネルの裏面に入射する。そして、この光が意匠パネルを透過することにより、意匠パネルの意匠面においては奥行感のある光る模様が現出することとなる。したがって、簡易な構成によって奥行き感のある模様を意匠パネルに現出させることができる。
【０００９】
なお、意匠パネルは透光性を有してはいるものの暗色であるため、灯光部から光が出射されないときには、意匠パネルの裏面側に配置されている灯光部や表示部の存在が視認されにくい。したがって、内装部品の意匠性が損なわれることを抑制することができる。
【００１１】
灯光部から例えば赤色の光が出射されると、表示部の複数の模様のうち、例えばＣＭＹＫ塗料であればマゼンタ色によって形成された模様の部分において当該赤色の光が反射される。そして、この赤色の反射光が意匠パネルを透過することにより、意匠パネルにおいては赤色に光る模様が現出されることとなる。
【００１２】
一方、灯光部から例えば青色の光が出射されると、表示部の複数の模様のうち、例えばシアン色によって形成された模様の部分において当該青色の光が反射される。そして、この青色の反射光が意匠パネルを透過することにより、意匠パネルにおいては青色に光る模様が現出されることとなる。
【００１３】
このように上記構成によれば、灯光部から出射される光の色を変更することにより、意匠パネルを透過して光る模様及び色が変更される。したがって、簡易な構成によって光る模様及び色を変更することができる。
【００１５】
点光源の各々からの光の出射態様（色、光量）を変更することにより、導光体において一方の光が出射される部分と他方の色の光が出射される部分との割合を変更するようにすれば、意匠パネルに現出される模様及び色が変化するようになる。よって、簡易な構成によって、意匠パネルに現出される模様を動かすとともにその色を変化させることができ、視覚的演出を効果的に行なうことができる。
【００１６】
この場合、前記模様の背景領域はブラック色を呈する、といった構成が好ましい。
同構成によれば、模様の背景領域がブラック色を呈するため、同背景領域においては灯光部からの光が吸収されることとなり、模様と背景との境界が明瞭になる。このため、意匠パネルに現出される模様が浮いているように視認される。したがって、視覚的演出を一層効果的に行なうことができる。
【００１７】
また、前記表示部はカラープリントされたシートである、といった構成が好ましい。
同構成によれば、印刷機によって表示部を容易に量産することができる。
また、前記意匠パネルは意匠面側に向けて突出するように湾曲している、といった構成が好ましい。
【００１８】
同構成によれば、意匠パネルを視認する角度に応じて、表示部の模様と意匠パネルとの間の距離が変化するため、光る模様が変形して見えるようになる。したがって、光る模様の奥行き感を一層強調することができる。
【発明の効果】
【００１９】
本発明によれば、簡易な構成によって奥行き感のある模様を意匠パネルに現出させることができる。
【図面の簡単な説明】
【００２０】
【図１】一実施形態のダッシュボードの斜視図。
【図２】図１の２−２線に沿った断面図。
【図３】上記実施形態のダッシュボードの概略構成を示す略図。
【図４】上記実施形態の表示部の模様を示す略図。
【図５】上記実施形態のダッシュボードの作用を説明する図。
【図６】上記実施形態のダッシュボードの作用を説明する図。
【図７】上記実施形態のダッシュボードの作用を説明する図。
【発明を実施するための形態】
【００２１】
以下、図１〜図７を参照して、内装部品を自動車のダッシュボードとして具体化した一実施形態について説明する。なお、以降において、車両の前後方向を単に前後方向と略称する。
【００２２】
図１及び図２に示すように、ダッシュボード１０の基材２０は、上下方向及び車幅方向に沿って延びる本体部２１と、本体部２１の上端及び下端からそれぞれ後方に向けて延びる延設部２２とを有している。そして、ダッシュボード１０は本体部２１に設けられた図示しない固定部を介して車両の構造体に固定される。
【００２３】
図２に示すように、上側の延設部２２の下面は後方ほど下方に位置するように湾曲している。また、下側の延設部２２の上面は後方ほど上方に位置するように湾曲している。本体部２１の後面、上側の延設部２２の下面、及び下側の延設部２２の上面には白色の塗料が塗布されており、これらの面全体が白色を呈している。
【００２４】
図２及び図３に示すように、基材２０の後面には表示部３０が固定されている。本実施形態の表示部３０は長方形状の紙である。
図４に示すように、表示部３０の後面、すなわち上記意匠パネル４０に対向する面には、２つの模様として「Ｘ」及び「Ｙ」がＣＭＹＫ塗料によってカラープリントされている。ここで、同図に白抜きにて示すように、「Ｘ」及び「Ｙ」の模様は、部分的に重なり合う領域を有している。
【００２５】
「Ｘ」及び「Ｙ」の双方の模様における「Ｘ」のみの領域（以下、第１領域３１）は、マゼンタ色でプリントされている。
「Ｘ」及び「Ｙ」の双方の模様における「Ｙ」のみの領域（以下、第２領域３２）は、シアン色でプリントされている。
【００２６】
「Ｘ」及び「Ｙ」が互いに重なり合う領域（以下、第３領域３３）は、マゼンタ色とシアン色との中間色（マゼンタ色とシアン色との双方を含む）でプリントされている。
また、背景領域３４は、ブラック色の塗料によってプリントされている。
【００２７】
図１及び図２に示すように、基材２０には、基材２０を後方から覆う意匠パネル４０が設けられている。意匠パネル４０は、スモーク色のアクリル樹脂によって形成されており、透光性を有している。図２に示すように、意匠パネル４０の上端部及び下端部は、例えば爪嵌合などによって基材２０の上下の延設部２２にそれぞれ固定されている。なお、図１に示すように、意匠パネル４０には車両の空調装置の吹出口１１が設けられている。
【００２８】
図２に示すように、上側の延設部２２の下方及び下側の延設部２２の上方には、表示部３０に向けて光を出射する上下一対の灯光部５０が配置されている。なお、一対の灯光部５０は同一の構成であるため、以降においては、片方の灯光部５０の構成について説明する。
【００２９】
図３に示すように、灯光部５０は、互いに対向して配置され、互いに異なる色の光を出射可能な一対の発光ダイオード（以下、一対のＬＥＤ５１，５２）と、一対のＬＥＤ５１，５２の間に配置されるとともに車幅方向に沿って延びる棒状の導光体５３と、を備えている。第１ＬＥＤ５１及び第２ＬＥＤ５２は共に出射される光の色をＲＧＢ（赤色、緑色、及び青色）のいずれかに切り換えることができる。これらＬＥＤ５１，５２には制御装置６０が電気的に接続されており、同制御装置６０によってこれらＬＥＤ５１，５２からの光の出射態様（色、光量）が制御される。
【００３０】
前述したように、上側の延設部２２の下面及び下側の延設部２２の上面の全体は白色を呈しており、これら下面及び上面は、灯光部５０から出射される光を表示部３０に向けて反射する反射面２３として機能する。
【００３１】
本実施形態においては、表示部３０の２つの模様のうち「Ｘ」の模様を形成する第１領域３１及び第３領域３３は、第１ＬＥＤ５１から出射される赤色の光を反射するマゼンタ色の塗料によってプリントされている。
【００３２】
また、「Ｙ」の模様を形成する第２領域３２及び第３領域３３は、第２ＬＥＤ５２から出射される青色の光を反射するシアン色の塗料によってプリントされている。
一方、第１領域３１は青色の光を吸収するマゼンタ色の塗料によってプリントされている。また、第２領域３２は、赤色の光を吸収するシアン色の塗料によってプリントされている。
【００３３】
また、背景領域３４が第１ＬＥＤ５１から出射される赤色の光及び第２ＬＥＤ５２から出射される青色の光の双方を吸収するブラック色の塗料によってプリントされている。
次に、図５〜図７を参照して、本実施形態の作用について説明する。なお、図５〜図７の上部のバーは、導光体５３から出射される光の色を示している。
【００３４】
図５に示すように、第２ＬＥＤ５２から赤色の光が出射され、第１ＬＥＤ５１が消灯状態にされていると、第２ＬＥＤ５２から出射される赤色の光が導光体５３に導かれるとともに同導光体５３の周面から出射される。導光体５３から出射される赤色の光は表示部３０の第１領域３１及び第３領域３３において反射されて意匠パネル４０の裏面に入射する。また、第２領域３２及び背景領域３４においては赤色の光が吸収される。そして、この赤色の光が意匠パネル４０を透過することにより、意匠パネル４０の意匠面においては奥行感のある赤く光る模様「Ｘ」が現出することとなる。
【００３５】
また、図６に示すように、第１ＬＥＤ５１から青色の光が出射され、第２ＬＥＤ５２が消灯状態にされていると、第１ＬＥＤ５１から出射される青色の光が導光体５３に導かれるとともに同導光体５３の周面から出射される。導光体５３から出射される青色の光は表示部３０の第２領域３２及び第３領域３３において反射されて意匠パネル４０の裏面に入射する。また、第１領域３１及び背景領域３４においては青色の光が吸収される。そして、この青色の光が意匠パネル４０を透過することにより、意匠パネル４０の意匠面においては奥行感のある青く光る模様「Ｙ」が現出することとなる。
【００３６】
また、図５に示す状態において、第１ＬＥＤ５１から青色の光を出射すると、図７に示すように、導光体５３における第１ＬＥＤ５１に近接する部分では青色の光が出射される。更に、第２ＬＥＤ５２の光量を徐々に減らしていくと、導光体５３において青色の光が出射される部分が第２ＬＥＤ５２に向けて（右側に向けて）徐々に拡大されるようになる。このように各ＬＥＤ５１，５２からの光の出射態様を変更することにより、導光体５３において青色の光が出射される部分と赤色の光が出射される部分との割合が変更される。このとき、第１ＬＥＤ５１及び第２ＬＥＤ５２の光量の総和が一定になるように各ＬＥＤ５１，５２を制御することが好ましい。
【００３７】
したがって、意匠パネル４０に現出される光る模様及び色が変化するようになり、表示部３０に現出される光る模様を動かすことができる。
なお、意匠パネル４０が透光性を有してはいるものの暗色であるため、灯光部から光が出射されないときには、意匠パネル４０の裏面側に配置されている灯光部５０や表示部３０の存在が視認されにくい。したがって、ダッシュボード１０の意匠性が損なわれることを抑制することができる。
【００３８】
以上説明した本実施形態に係る内装部品によれば、以下に示す効果が得られるようになる。
（１）ダッシュボード１０は、透光性を有する暗色の意匠パネル４０と、意匠パネル４０の裏面側に配置されて同裏面に対向する面に模様を表示する表示部３０と、意匠パネル４０と表示部３０との間に配置されて表示部３０に向けて光を出射する灯光部５０と、を備えている。表示部３０の模様は、灯光部５０から出射される光を反射する色の塗料によって形成されている。
【００３９】
こうした構成によれば、簡易な構成によって奥行き感のある光る模様を意匠パネル４０に現出させることができる。また、意匠パネル４０の裏面側に配置されている灯光部５０や表示部３０の存在が視認されにくいため、ダッシュボード１０の意匠性が損なわれることを抑制することができる。
【００４０】
（２）灯光部５０は表示部３０に向けて出射される光の色を変更可能なものである。また、表示部３０は互いに異なる色の塗料によってそれぞれ形成された複数の模様を表示するものである。また、塗料の各々は灯光部５０から出射される光のうち対応する色の光を反射するものである。
【００４１】
こうした構成によれば、灯光部５０から出射される光の色を変更することにより、意匠パネル４０を透過して光る模様及び色が変更される。したがって、簡易な構成によって意匠パネル４０に現出される光る模様及び色を変更することができる。
【００４２】
（３）灯光部５０は、各ＬＥＤ５１，５２からの光の出射態様を変更することにより、導光体５３において一方の色の光が出射される部分と他方の色の光が出射される部分との割合を変更する制御装置６０を備えている。
【００４３】
こうした構成によれば、意匠パネル４０に現出される光る模様及び色が変化するようになる。よって、簡易な構成によって、意匠パネル４０に現出される光る模様を動かすとともにその色を変化させることができ、視覚的演出を効果的に行なうことができる。
【００４４】
（４）基材２０は導光体５３から出射される光を表示部３０に向けて反射する反射面２３を有している。
こうした構成によれば、導光体５３から出射される光が反射面２３によって反射されて表示部３０に向かうようになる。このため、導光体５３から出射された光を有効に利用することができ、意匠パネル４０に現出される光る模様を一層明るくすることができる。
【００４５】
（５）背景領域３４がブラック色の塗料によって形成されているため、模様の背景領域３４がブラック色を呈するため、意匠パネル４０に現出される光る模様が浮いているように視認される。したがって、視覚的演出を一層効果的に行なうことができる。
【００４６】
（６）表示部３０がカラープリントされた紙であるため、印刷機によって表示部３０を容易に量産することができる。
（７）意匠パネル４０が意匠面側に向けて突出するように湾曲しているため、意匠パネル４０を視認する角度に応じて、表示部３０の模様と意匠パネル４０との間の距離が変化する。このため、光る模様が変形して見えるようになる。したがって、光る模様の奥行き感を一層強調することができる。
【００４７】
なお、上記実施形態は、例えば以下のように変更することもできる。
・マゼンタ色の模様及びシアン色の模様の他にイエロー色の模様を加えることもできる。この場合、灯光部５０から黄色（緑色）の光を出射するようにすれば、当該模様を意匠パネル４０において現出させることができる。
【００４８】
・意匠パネル４０を平板状にすることもできる。
・上側または下側の灯光部５０を省略することもできる。
・導光体５３に代えて、発光ダイオードなどの複数の点光源を直線状に配置することもできる。
【００４９】
・灯光部５０は１つの色の光のみを出射するものであってもよい。
・本発明を車両のドアトリムなどの他の内装部品に対して適用することもできる。
【符号の説明】
【００５０】
１０…ダッシュボード（内装部品）、１１…吹出口、２０…基材、２１…本体部、２２…延設部、２３…反射面、３０…表示部、３１…第１領域、３２…第２領域、３３…第３領域、３４…背景領域、４０…意匠パネル、５０…灯光部、５１…第１ＬＥＤ（点光源）５２…第２ＬＥＤ（点光源）、５３…導光体、６０…制御装置（制御部）。
【図１】
0006350332.tif 000002
【図２】
0006350332.tif 000003
【図３】
0006350332.tif 000004
【図４】
0006350332.tif 000005
【図５】
0006350332.tif 000006
【図６】
0006350332.tif 000007
【図７】
0006350332.tif 000008